(57)【要約】【課題】  電子レンジ加熱用のスタンディングパウチ２と、スリーブ状の紙ケース１とを組み合わせた電子レンジ加熱用包装体において、電子レンジ加熱時に安定した自立性が得られるだけでなく、陳列時には、コンパクトな状態で自立性が得られるようにする。【解決手段】  紙ケース１の底面板３上に、電子レンジ加熱用のスタンディングパウチ２を載置し、前面板６と背面板７をそれぞれ折り立ててスタンディングパウチ２を挟み込み、先端部同士を接合する一方、底面板３を中央部で上方に山折りして、スタンディングパウチ２底部の凹部内に差し込んだ電子レンジ加熱用包装体とする。【選択図】  図２
2007022611.tif 000002
【特許請求の範囲】
【請求項１】
底面板の前後に前面板と背面板が連なった紙ケースの底面板上に、電子レンジ加熱用のスタンディングパウチが載置されており、前面板と背面板が、それぞれ底面板から折り立てられてスタンディングパウチを挟み込み、先端部同士が接合されまたは各先端部がそれぞれスタンディングパウチの上部に接合されている一方、底面板が、前後方向中央部で上方に山折りされて、スタンディングパウチ底部の凹部内に差し込まれていることを特徴とする電子レンジ加熱用包装体。
【請求項２】
前面板または背面板の左右に、内側に折り込まれてスタンディングパウチの側部を抱え込んだ保持片が連接されていることを特徴とする請求項１の電子レンジ加熱用包装体。
【請求項３】
展開形状における底面板の左右が、上方への山折りラインとの交点を頂点とするＶ字形に切り込まれていて、山折りされた底面板の頂部を境とした前後面がそれぞれ台形状をなしていることを特徴とする請求項１または２に記載の電子レンジ加熱用包装体。
【請求項４】
前面板および背面板と底面板との間の各折り立てラインから底面板内に、両端が当該折り立てラインに接する凸型の切り込みが形成されており、該切り込みの内側が、前面板と背面板の折り立てに伴って下方に突出して脚部を構成していることを特徴とする請求項１〜３のいずれか１項に記載の電子レンジ加熱用包装体。
【請求項５】
底面部の左右方向中央部がくり抜かれていることを特徴とする請求項１〜４のいずれか１項に記載の電子レンジ加熱用包装体。
【発明の詳細な説明】
【技術分野】
【０００１】
本発明は、電子レンジ加熱に伴う内圧上昇により自動的に開口される蒸気抜き部を備えてた電子レンジ加熱用のスタンディングパウチと、スリーブ状の紙ケースとを組み合わせた電子レンジ加熱用包装体に関する。
【背景技術】
【０００２】
従来、例えば特許文献１に記載されているように、電子レンジ加熱用のスタンディングパウチとスリーブ状の紙ケースを組み合わせた電子レンジ加熱用包装体として、前面板と底面板と背面板が順次連接された紙ケースで、スタンディングパウチの正面部から底面部を経て背面部に亘って囲み、前面板と背面板の上端部とスタンディングパウチの上辺部とを接合して、スタンディングパウチを底面板上に起立状態で支持したものが知られている。この電子レンジ加熱用包装体の場合、スタンディングパウチを、側面三角形状に紙ケースで囲んでいるので、自立性があるといっても不安定なスタンディングパウチを電子レンジに入れて加熱する際に、より安定した状態で立てて加熱することができる利点がある。また、特許文献１の段落〔０００８〕および図５には、底面板を中央部の折りラインを介して外方に向けて折り出して紙ケースを偏平に折り畳むことにより、輸送時などの取り扱いを容易にすることも記載されている。
【０００３】
【特許文献１】特開２００１−１９０６１号公報
【発明の開示】
【発明が解決しようとする課題】
【０００４】
しかしながら、上記従来の電子レンジ加熱用包装体の場合、底面板を外方に折り出して偏平に折り畳んだ状態では自立性がないので、陳列は底面板を平坦に広げた状態で行うことになり、陳列領域をとる問題がある。特に側面三角形状をなす包装体であることから、積み重ね陳列がしにくく、底面板を広げた状態では、陳列に大きなスペースが必要となる。
【０００５】
本発明は、上記従来の問題点に鑑みてなされたもので、電子レンジ加熱用のスタンディングパウチと、スリーブ状の紙ケースとを組み合わせた電子レンジ加熱用包装体において、電子レンジ加熱時に安定した自立性が得られるだけでなく、陳列時には、コンパクトな状態で自立性が得られるようにすることを目的とする。
【課題を解決するための手段】
【０００６】
本発明は、上記目的のために、底面板の前後に前面板と背面板が連なった紙ケースの底面板上に、電子レンジ加熱用のスタンディングパウチが載置されており、前面板と背面板が、それぞれ底面板から折り立てられてスタンディングパウチを挟み込み、先端部同士が接合されまたは各先端部がそれぞれスタンディングパウチの上部に接合されている一方、底面板が、前後方向中央部で上方に山折りされて、スタンディングパウチ底部の凹部内に差し込まれていることを特徴とする電子レンジ加熱用包装体を提供するものである。
【０００７】
また、上記本発明は、前面板または背面板の左右に、内側に折り込まれてスタンディングパウチの側部を抱え込んだ保持片が連接されていること、
展開形状における底面板の左右が、上方への山折りラインとの交点を頂点とするＶ字形に切り込まれていて、山折りされた底面板の前後面がそれぞれ台形状をなしていること、
前面板および背面板と底面板との間の各折り立てラインから底面板内に、両端が当該折り立てラインに接する凸型の切り込みが形成されており、該切り込みの内側が、前面板と背面板の折り立てに伴って下方に突出して脚部を構成していること、
底面部の左右方向中央部がくり抜かれていること、
をその好ましい態様として含むものである。
【０００８】
なお、本明細書において、前後とは、前面板、底面板および背面板の連なり方向をいい、左右とは、この前後方向に対する平面直角方向をいう。
【発明の効果】
【０００９】
本発明の電子レンジ加熱用包装体は、紙ケースの底面板が上方に山折りされていると共に、この山折りされた底面板がスタンディングパウチ底部の凹部内に差し込まれてスタンディングパウチの底面部を突き上げることになるので、スタンディングパウチをその底部の奥行き（前後方向の幅）を狭めた状態で収容することができる。このため、本電子レンジ加熱用包装体の側面形状は、全体として底辺の短い三角形状となり、奥行きの小さなコンパクトな形状となると共に、全体として三角形状であることから、自立性も得られる。
【００１０】
一方、電子レンジによる加熱時には、底面板を引き出して押し広げれば、本電子レンジ加熱用包装体の側面形状が、全体として底辺が十分な長さを有する三角形状となるので、安定した自立性が得られる。また、わざわざ底面板を引き出して押し広げることなく、上記陳列時の状態のまま電子レンジで加熱しても、加熱に伴うスタンディングパウチの膨張と共に底面板がスタンディングパウチ底部の凹部から押し出されて広がるので、電子レンジ内でのスタンディングパウチの倒伏を防止することができる。
【発明を実施するための最良の形態】
【００１１】
まず、図１〜図８に基づいて、本発明に係る電子レンジ加熱用包装体の第１の例を説明する。
【００１２】
図１は本発明の第１の例に係る電子レンジ加熱用包装体の正面図、図２は図１におけるＡ−Ａ断面図、図３は紙ケースの展開図、図４は電子レンジ加熱用のスタンディングパウチの一例を示す、縁部をシールする前の分解斜視図、図５は図４に示される分解状態のスタンディングパウチの縁部をシールし、底部を若干広げた状態の平面図、図６は本発明の第１の例に係る電子レンジ加熱用包装体の組み立て途中段階の斜視図、図７は本発明の第１の例に係る電子レンジ加熱用包装体の組み立て完了後の斜視図、図８は電子レンジ加熱でスタンディングパウチが膨張した状態の図１のＡ−Ａ部に対応する断面図である。なお、各図において同一の符号は同様の部材または部位を示す。
【００１３】
図１および図２において、１は紙ケース、２は電子レンジ加熱用のスタンディングパウチである。
【００１４】
紙ケース１は、図３に明示されているように、底面板３の前後にそれぞれ折り立てライン４，５を介して前面板６と背面板７を連ねたものとなっている。底面板３の前後方向中央部には、底面板３を左右に横断して、山折りライン８が設定されている。また、底面板３の左右は、底面板３に設定された山折りライン８との交点を頂点とするＶ字形に切り込まれており、後述するように、底面板３を山折りライン８を介して上方に山折りした時に、山折りされた底面板３の頂部を境とした前後面がそれぞれ台形状をなすように構成されている。やはり後述するように、山折りされた底面板３はスタンディングパウチ２底部の凹部に差し込まれるもので、底面板３が、山折りされた底面板３の頂部を境とした前後面がそれぞれ台形状をなすように構成されているのは、スタンディングパウチ２底部の凹部内に差し込みやすくするためにものである。さらに、前面板６の先端部（底面板３との連接側とは反対側の端部）寄りの中間部には、前面板６を帯状に切り開いて開封するための２条のミシン目や断続的なスリットなどの開封ライン９が左右に横断しており、背面板７の先端部には、折り返しライン１０を介して連結片１１が連接されている。
【００１５】
スタンディングパウチ２としては、電子レンジ加熱に伴う内圧上昇により自動的に開口される蒸気抜き部を備えた電子レンジ加熱用のものであれば特に制限はないが、その一例を図４および図５で説明する。
【００１６】
本例のスタンディングパウチ２は、図４および図５に示されるように、前面部１２および背面部１３と、この前面部１２及び背面部１３間に折り込まれて接合された底面部１４と、易剥離性フィルム１５とから構成されている。前面部１２と背面部１３は、それぞれ基材層の片面に熱融着層を積層した合成樹脂フィルムで構成されており、熱融着層側を向き合わせて重ねられている。底面部１４も前面部１２および背面部１３と同様の合成樹脂フィルムで構成されており、熱融着層を外側にしてＶ字形に折られ、Ｖ字の頂点を内方に向けて前面部１２と背面部１３の下縁側に挟み込まれている。
【００１７】
前面部１２と背面部１３間の上縁寄りには、幅方向に横断して、テープ状の易剥離性フィルム１５が挟み込まれている。この易剥離性フィルム１５は、予め前面部１２または背面部１３に熱融着されている。
【００１８】
図５に示されるように、前面部１２と背面部１３は、両者間に底面部１４と易剥離性フィルム１５を挟み込んだ状態で、その両側縁部が側縁シール部１６，１７で帯状に熱融着されている。また、Ｖ字形に折られた底面部１４は、一方（図中上側）の自由端側縁部が、前面部１２の下縁部に対し、上辺が下向き凹状に湾曲した底縁シール部１８で熱融着されていると共に、他方（図中下側）の自由端側縁部が、背面部１３の下縁部に対し、上辺が同様に湾曲した底縁シール部１９で熱融着されている。従って、底面部１４は、内側に折り込まれた状態で前面部１２と背面部１３に熱融着されていて、スタンディングパウチ２の底部には、底縁シール部１８，１９と底面部１４の折り込みに伴う凹部が形成されている。また、スタンディングパウチ２は、折り込まれた底面部１４が内容物の重量で押し下げられると共に底部が略楕円形に広げられることで自立可能な状態となる包装袋となっている。なお、２０は内容物の充填後に形成される上縁シール部である。
【００１９】
図５中、左側の側縁シール部１６の易剥離性フィルム１５を挟み込んだ部分には、その外縁側から、開封時に引き裂き開始点となるノッチ２１が切り込まれている。また、剥離性フィルム１５が介在する、ノッチ２１周りの側縁シール部１６部分は、易剥離性フィルム１５が挟み込まれていない他の前面部１２と背面部１３間の熱融着部（易剥離性フィルム１５が挟み込まれていない側縁シール部１６，１７部分、底縁シール部１８，１９および上縁シール部２０）に比して剥離しやすい易剥離性シール部となっている。
【００２０】
上記ノッチ２１の形成位置に対応して、側縁シール部１６の内縁から内側に突き出た四角形状の突出シール部２２が形成されており、ノッチ２１は、先端がほぼこの突出シール部２２に接する位置まで延びている。突出シール部２２は、易剥離性フィルム１５を挟み込んだ、前面部１２と裏面部１３間の熱融着部で、易剥離性フィルム１５が挟み込まれていることにより、易剥離性フィルム１５が挟み込まれていない他の前面部１２と裏面部１３間の熱融着部に比して剥離しやすい易剥離性シール部となっている。
【００２１】
内容物を収納して密封された上記スタンディングパウチ２を電子レンジで加熱すると、蒸気の発生に伴う内圧の上昇によって、表面部１２と裏面部１３がそれぞれ外方に膨出する。この膨出力は、内方に突出している突出シール部２２の剥離力として集中的に作用し、まず出シール部２２が剥離し、この剥離がノッチ２１の先端まで達すると、ノッチ２１を介して蒸気の放出が開始され、さらに内圧が高まると、ノッチ２１周りの易剥離性シール部まで剥離が及んで過度の内圧上昇が防止されるものとなっている。つまり、本例のスタンディングパウチ２においては、ノッチ２１、突出シール部２２である易剥離性シール部およびノッチ２１周りの易剥離性シール部が蒸気抜き部を構成しているものである。
【００２２】
図１および図２に示されるように、紙ケース１の前面板６および背面板７がそれぞれ折り立てライン４，５を介して底面板３から折り立てられ、紙ケース１の底面板３上に載置されたスタンディングパウチ２を前後から挟み込んでいる。また、背面板７の先端部には、折り返しライン１０を介して連結片１１が前面板６側に折り返されて接着されており、前面板６と背面板７の先端部同士が接合されている。
【００２３】
一方、紙ケース１の底面板６は、図２および図６に示されるように、山折りライン８を介して上方に山折りされており、この山折りされた底面板６がスタンディングパウチ２底部の凹部内に差し込まれている。従って、スタンディングパウチ２の底面部１４は、図２に示されるように、差し込まれた底面板６の頂部によって突き上げられ、内容物の重量で押し下げられることが抑制されるので、スタンディングパウチ２の底部が大きく広がらない状態に抑えられる。このため、本電子レンジ加熱用包装体は、図２および図７に示されるように、側面形状が底辺の短い略三角形状となり、奥行きの小さなコンパクトなものとなる。その一方、本電子レンジ加熱用包装体は、その側面形状が、底辺は短いが略三角形状であるので、自立性が得られ、そのまま陳列することが可能である。
【００２４】
本電子レンジ加熱用包装体を電子レンジで加熱する場合、スタンディングパウチ２底部の凹部に差し込まれている紙ケース１の底面板３を引き出して平坦に伸ばし、側面形状を、底辺が十分長い略三角形状としてから電子レンジに入れることで安定して立てて加熱することができる。しかし、そのまま電子レンジに入れても、図８に示されるように、加熱に伴うスタンディングパウチ２の膨張により紙ケース１の前面板６、背面板７および底面板３が外方に押され、底面板３がスタンディングパウチ２底部の凹部から抜け出て平坦に広がることから、自然に安定した自立状態となり、倒伏しにくくすることができる。
【００２５】
次に、図９〜図１１に基づいて、本発明の第２の例に係る電子レンジ加熱用包装体を説明する。
【００２６】
図９は本発明の第２の例に係る電子レンジ加熱用包装体に用いる紙ケースの展開図、図８は本発明の第２の例に係る電子レンジ加熱用包装体の組み立て途中段階の斜視図、図７は本発明の第２の例に係る電子レンジ加熱用包装体の組み立て完了後の斜視図である。なお、図９〜図１１において、図１〜図８と同じ符号は同様の部材または部位を示す。
【００２７】
図９に示されるように、本例の紙ケース１は、基本的には前記第１の例の紙ケース１と同様であるが、次の２つの点で相違している。
【００２８】
第１は、図９に示されるように、背面板７の先端側左右に、それぞれ折り込みライン２３を介して保持片２４が連接されている点である。この保持片２４は、図１０および図１１に示されるように、折り込みライン２３を介して内側に折り込まれて、スタンディングパウチ２の側部を抱え込み、スタンディングパウチ２が、開放されている紙ケース１の側部から抜け落ちるのを防止するためのものである。また、保持片２４がスタンディングパウチ２の蒸気抜き部を覆ってしまう場合、蒸気抜き部に対応する箇所を切り抜いておくこともできる。
【００２９】
第２は、図９に示されるように、前面板６および背面板７と底面板３との間の各折り立てライン４，５から底面板３内に、両端が当該折り立てライン４，５に接する凸型の切り込み２５が形成されている点である。この切り込み２５は、図１０および図１１に示されるように、当該切り込み２５の内側を、前面板６と背面板７の折り立てに伴って下方に突出させて脚部２６とするためのものである。本電子レンジ加熱用包装体は、図８で説明したように、電子レンジによる加熱に伴って底面板３を広げることができるが、この時、前面板６と背面板７の下縁が電離レンジ内の載置面と擦れ合いながら広がることになる。脚部２６は、この電子レンジ内の載置面との擦れ合い抵抗を軽減し、前面板６と背面板７が下縁が広がりやすくするためのものである。
【００３０】
図１２および図１３に基づいて、本発明の第３の例に係る電子レンジ加熱用包装体を説明する。
【００３１】
図１２は本発明の第３の例に係る電子レンジ加熱用包装体に用いる紙ケースの展開図、図１３は本発明の第３の例に係る電子レンジ加熱用包装体の組み立て途中段階の斜視図である。なお、図１２および図１３において、図１〜図８と同じ符号は同様の部材または部位を示す。
【００３２】
図１２に示されるように、本例の紙ケース１は、基本的には前記第２の例の紙ケース１と同様であるが、底面板３の左右方向中央部がくり抜かれてくり抜き部２７となっているいる点が相違している。このくり抜き部２７を設けておくと、図１３に示されるように、上方に山折りしてスタンディングパウチ２底部の凹部に差し込む底面板３を左右の２箇所に分けることができ、スタンディングパウチ２底部の凹部から底面板３が抜け出やすくなる。このため、特に図８で説明したように、電子レンジによる加熱で底面板３を広げる場合に、底面板３をスムーズに広げやすくなる。
【００３３】
図１４に基づいて、本発明の第４の例に係る電子レンジ加熱用包装体を説明する。
【００３４】
図１４は本発明の第４の例に係る電子レンジ加熱用包装体の斜視図である。なお、図１４において、図１〜図８と同じ符号は同様の部材または部位を示す。
【００３５】
図１４に示されるように、本例の電子レンジ加熱用包装体は、基本的には前述の第１の例と同様であるが、第１の例における開封ライン９および連結片１１（図３参照）を有しておらず、しかも前面板６および背面板７が若干短くなっている。そして、前面板６と背面板７の先端部は、両者が直接接合されているのではなく、それぞれスタンディングパウチ２の上部にシール２８によって接合されている。このようにしても、前述のコンパクトな包装形態が得られ、しかも電子レンジによる加熱に伴って自動的に底面板３を広げることができるだけでなく、包装をより簡略なものとすることができる。
【図面の簡単な説明】
【００３６】
【図１】本発明の第１の例に係る電子レンジ加熱用包装体の正面図である。
【図２】図１におけるＡ−Ａである。
【図３】紙ケースの展開図である。
【図４】電子レンジ加熱用のスタンディングパウチの一例を示す、縁部をシールする前の分解斜視図である。
【図５】図４に示される分解状態のスタンディングパウチの縁部をシールし、底部を若干広げた状態の平面図である。
【図６】本発明の第１の例に係る電子レンジ加熱用包装体の組み立て途中段階の斜視図である。
【図７】本発明の第１の例に係る電子レンジ加熱用包装体の組み立て完了後の斜視図である。
【図８】電子レンジ加熱でスタンディングパウチが膨張した状態の図１のＡ−Ａ部に対応する断面図である。
【図９】本発明の第２の例に係る電子レンジ加熱用包装体に用いる紙ケースの展開図である。
【図１０】本発明の第２の例に係る電子レンジ加熱用包装体の組み立て途中段階の斜視図である。
【図１１】本発明の第２の例に係る電子レンジ加熱用包装体の組み立て完了後の斜視図である。
【図１２】本発明の第３の例に係る電子レンジ加熱用包装体に用いる紙ケースの展開図である。
【図１３】本発明の第３の例に係る電子レンジ加熱用包装体の組み立て途中段階の斜視図である。
【図１４】本発明の第４の例に係る電子レンジ加熱用包装体の斜視図である。
【符号の説明】
【００３７】
１    紙ケース
２    スタンディングパウチ
３    底面板
４    折り立てライン
５    折り立てライン
６    前面板
７    背面板
８    山折りライン
９    開封ライン
１０  折り返しライン
１１  連結片
１２  前面部
１３  背面部
１４  底面部
１５  易剥離性フィルム
１６  側縁シール部
１７  側縁シール部
１８  底縁シール部
１９  底縁シール部
２０  上縁シール部
２１  ノッチ
２２  突出シール部
２３  折り込みライン
２４  保持片
２５  切り込み
２６  脚部
２７  くり抜き部
２８  シール
【図１】
2007022611.tif 000003
【図２】
2007022611.tif 000004
【図３】
2007022611.tif 000005
【図４】
2007022611.tif 000006
【図５】
2007022611.tif 000007
【図６】
2007022611.tif 000008
【図７】
2007022611.tif 000009
【図８】
2007022611.tif 000010
【図９】
2007022611.tif 000011
【図１０】
2007022611.tif 000012
【図１１】
2007022611.tif 000013
【図１２】
2007022611.tif 000014
【図１３】
2007022611.tif 000015
【図１４】
2007022611.tif 000016